【事件の表示】
　特許第２５１４２９４号「吸収性物品用身体側カバー」の請求項１ないし３６に係る特許に対する特許異議の申立てについて、次のとおり決定する。
【結論】
　訂正を認める。
　特許第２５１４２９４号の請求項１に係る特許を維持する。
【理由】
［Ｉ］手続の経緯
　特許第２５１４２９４号の発明についての出願は、平成４年７月１５日（優先権主張１９９１年７月１７日、米国）に特許出願され、平成８年４月３０日にその発明について特許の設定登録がなされ、その後、その特許について、中野馥子より特許異議の申立てがなされ、取消理由通知がなされ、その指定期間内である平成９年１１月１１日に訂正請求がなされたものである。
［ＩＩ］訂正の適否についての判断
ア．訂正の内容
　特許権者は、特許請求の範囲の請求項１〜３２、３４及び３５を削除する訂正を請求している。
イ．訂正の目的の適否、新規事項の有無及び拡張・変更の存否
　上記訂正は、一部の請求項を削除しようとするものであるから、特許請求の範囲の減縮に該当するものであり、新規事項の追加に該当しない。
　そして、実質上特許請求の範囲を拡張し、又は変更するものでもない。
ウ．独立特許要件
　上記訂正により訂正された特許請求の範囲の請求項１に係る発明は、後記［ＩＩＩ］で示した内容から明らかなように、特許出願の際独立して特許を受けることができるものである。
エ．むすび
　以上のとおりであるから、上記訂正は、特許法第１２０条の４第２項及び同条第３項において準用する第１２６条第２〜４項の規定に適合するので、当該訂正を認める。
［ＩＩＩ］特許異議の申立てについて
ア．本件発明
　本件発明は、訂正した明細書の特許請求の範囲の請求項１に記載された、以下のとおりのものである。
　【請求項１】吸収性物品用身体側カバーであって、複数の小孔が貫通して形成されている第一の材料を備え、前記第一の材料は前記吸収性物品の長手方向中心軸に沿って配置されており、かつ、該吸収性物品用身体側カーにおける第一の液体受け入れ領域を形成しており、
小孔が形成されておらず、前記第一の材料に結合された第二の材料を備え、該第二の材料は該吸収性物品用身体側カバーにおける第二の液体受け入れ領域を形成しており、前記第二の材料の再湿潤値は前記第一の材料の再湿潤値と等しいかまたは、それよりも大きく、前記第二の材料は、カワバタ評価システムを用いて測定した場合の５個のパラメーターである曲げ、表面摩擦、表面粗さ、剪断、または、引張のうちの少なくとも一つにおいて前記第一の材料よりも低い値を有することによって、前記第一の材料よりも軟らかいものであり、前記第二の材料の吸収率は前記第一の材料の吸収率とほぼ等しいか、あるいは該第一の材料の吸収率よりも小さいことを特徴とする吸収性物品用身体側カバー。
イ．申立ての理由の概要
　これに対し、特許異議申立人中野馥子は、証拠として
甲第１号証：特開昭６２−１２５０６１号公報
甲第２号証：特開昭６３−２６７３５９号公報
甲第３号証：実開昭６４−９２６号公報
甲第４号証：実願昭５３−２０５４９号（実開昭５４−１２４３９８号公報）のマイクロフィルム
甲第５号証：実開平１−１２２７２７号公報
甲第６号証：実願昭４６−１１５２９６号（実開昭４８−７０８４２号公報）のマイクロフィルム
甲第７号証：実願昭４７−３４７２７号（実開昭４８−１１０９９４号公報）のマイクロフィルム
甲第８号証：実願昭５３−１７２８９４号（実開昭５５−８９４２２号公報）のマイクロフイルム
甲第９号証：特開昭６３−２４９４４号公報
甲第１０号証：「風合い評価の標準化と解析（第２版）」、昭和５５年７月１０日発行、著者川端季雄、発行所社団法人日本繊維機械学会・風合い計量と規格化研究委員会
を提示し、以下の２点を主張している。
１）本件特許の請求項１〜３６に係る発明は、甲第１又は２号証に記載された発明であるから特許法第２９条第１項第３号に該当し、または、甲第１〜１０号証に記載された発明に基づいて当業者が容易に発明し得たものであるから、特許法第２９条第２項の規定により特許を受けることができないものである。
２）発明の詳細な説明が、当業者が容易に本件発明を実施することできる程度に明確かつ十分に記載されていないので、本件出願は特許法第３６条に規定する要件を満たしていない。
ウ．判断
　そこで、上記特許異議申立人の主張について、以下検討する。
１）の主張について
　甲第１号証は、生理用ナプキン等に用いられる有孔不織ウエブに関するものであり、同証には下記記載▲１▼−１〜▲１▼−５等が記載されている。
　▲１▼−１）甲第１号証第２頁右下欄１１〜１２行「この穿孔された不織布ウエブは女性の衛生綿のカバーまたは最上層として使用するのに適切である。」
　▲１▼‐２）甲第１号証第１０頁左上欄１８行〜右上欄４行「穿孔材料の幅の範囲は全体として約１〜２インチ幅であり、即ち、開口は衛生綿の幅全体に広がっていない。・・
開口のない区域は、衛生綿の各々の側で全体的に約１．９０５〜５．０８ｃｍ（０．７５〜２．０インチ）である。」
　▲１▼‐３）甲第１号証第１０頁右上欄１５〜１６行「開口１７６は、衛生綿の全縦長部分に広がっている。」
　▲１▼‐４）甲第１号証特許請求の範囲第４項「不織布ウエブの全表面積の約２０％〜約５０％が穴あけされる」
　▲１▼‐５）甲第１号証第１０頁右下欄３〜６行「固化区域を備えた明確な安定した穿孔と、そのような各々の穿孔を直ちに取り囲む密集した熱で固化する材料の区域を含む。」
　甲第２号証は生理用ナプキン等の吸収パッドに関するものであり、同証には下記記載▲２▼‐１〜▲２▼‐６等が記載されている。
　▲２▼‐１）甲第２号証第３頁右下欄１〜３行「本発明のパッド１２には有孔縦ゾーン１６を有する浸透性の当て材１４が備えてある。」
　▲２▼‐２）甲第２号証特許請求の範囲第２項「前記身体側の当て材は前記パッドの縦の中心部の細片に孔を設けている」
　▲２▼‐３）甲第２号証第６頁右下欄１５〜１８行「カバー内の孔は、流れゾーン制御層とほぼ対応する縦の中心部に形成される。有孔領域は一般に、製造の便宜上、パッドの縦の長さ全体に拡がる。」　▲２▼‐４）甲第２号証第５頁左上欄６〜１３行「液体浸透性の身体側の当て材を形成するカバー材料は、・・・とくに好適な材料は紡織結合ポリプロピレン繊維である」
　▲２▼‐５）甲第２号証第４頁右上欄６〜８行「第４図ａは、経血又はメンスのような身体からの排泄物と最初に接触し始めた状態のパッドを示している。」
　▲２▼‐６）甲第２号証第３頁右上欄１０〜１１行「身体側の当て材は、有孔ゾーンに対する開口部の比率が約２２乃至５０％であり」
　甲第３号証は、生理用ナプキンに関するものであり、同証には生理用ナプキンの被覆材に関して下記記載▲３▼‐１等が記載されている。
　▲３▼‐１）甲第３号証実用新案登録請求の範囲第１項「吸収体を被覆する液透過性の被覆材を備えた生理用ナプキンにおいて、上記被覆材の肌当接側に、幅方向の両側をそれぞれ約１０％以上残して１〜１０ｍｍの間隔で多数の小孔を開設し」
　甲第４号証は、吸収孔を有する生理用ナプキンに関するものであり、同証には下記記載▲４▼‐１等が記載されている。
　▲４▼‐１）甲第４号証第２頁３〜５行および第３図「第３図は吸収体（１）を不織布等で包んだ包装体（４）の上に吸収孔（３）を設けた防水性のシート（２）を設けた例であり」
　甲第５号証〜甲第９号証には、吸収性物品の表面材に吸収孔を設けた生理用ナプキンや紙おむつが記載されている。
　甲第１０号証には、布の風合いを評価するカワバタ評価システムの測定方法が記載されている。
　ここで、本件請求項１に係る発明は、訂正前の請求項３３に係る発明であるところ、かかる請求項３３に係る発明について特許異議申立人は、甲第１号証記載の発明と同一であるか、同証の記載から当業者が容易に想到し得るものであるか、少なくとも甲第１号証〜甲第１０号証の記載から当業者が容易に想到し得るものであると主張する。
　そこで、本件請求項１に係る発明と甲第１号証に記載されたものとを対比すると、両者は、吸収性物品用身体側カバーであって、貫通して形成された複数の小孔が当該吸収性物品の長手方向中心軸に沿って配置されており、その両側には小孔が配置されていないものである点で一致するが、本件請求項１に係る発明は、上記複数の小孔が形成されている部分と形成されていない部分が、各々別異の材料で、即ち、前者は第一の材料で、また、後者は第二の材料で、形成されており、さらに、前記第二の材料の再湿潤値は前記第一の材料の再湿潤値と等しいかまたは、それよりも大きく、前記第二の材料は、カワバタ評価システムを用いて測定した場合の５個のパラメーターである曲げ、表面摩擦、表面粗さ、剪断、または、引張のうちの少なくとも一つにおいて前記第一の材料よりも低い値を有することによって、前記第一の材料よりも軟らかいものであり、前記第二の材料の吸収率は前記第一の材料の吸収率とほぼ等しいか、あるいは該第一の材料の吸収率よりも小さいものであるのに対し、甲第１号証に記載されたものは、単一の材料で形成されている点で、両者は相違する。
　そして、本件請求項１に係る発明は、かかる構成を採用することにより、良好な乾燥特性、流体保持特性及び流体移動特性を有しつつ、着用者の皮膚に対して軟らかく、心地好い吸収性物品用の身体側二成分カバーを提供するという作用効果を奏し得たものである。
　したがって、本件請求項１に係る発明は、甲第１号証に記載された発明でないばかりか、甲第１号証に記載された発明から当業者が容易に発明をすることができたものでもない。
　また、上記相違点について甲第２〜１０号証の記載を検討するに、甲第２〜９号証には、種々の吸収性物品用身体側カバーが記載されているが、これらのいずれにも、本件請求項１に係る発明にいう第二の材料に相当するものの再湿潤値を同じく第一の材料に相当するものの再湿潤値と等しいかまたは、それよりも大きくすることについて記載も示唆もない。また、甲第１０号証は、カワバタ評価システムの測定方法に関するものであって吸収性物品用身体側カバーについては何らの記載もない。
　したがって、本件請求項１に係る発明は、甲第１号証に甲第２〜１０号証を組み合わせても、それらに記載された発明から当業者が容易に発明をすることができたものではない。
　結局、本件請求項１に係る発明は、特許法第２９条第１項第３号及び同第２９条第２項の規定により特許を受けることができないものとはいえない。
　よって、特許異議申立人の１）の主張は、採用できない。
２）の主張について
　特許異議申立人は、本件明細書の発明の詳細な説明の記載の不備の理由として、以下の２点を挙げている。
（ｉ）発明の詳細な説明記載の方法で測定された再湿潤値は、吸収体を含んだ状態で測定されたものであるから、吸収体の種類や、蒸留水を注いでから測定する迄の時間等によって、その値は変化してしまう。更に、「排出された蒸留水」をどのように摘出し且つどのように測定するのかが不明確である。
（ｉｉ）請求項１５，２２，２５及び２８には、「前記第一の材料」及び「前記第二の材料」なる文言があるが、「第一の材料」及び「第二の材料」が何を指すのかが不明確であり、また、これらの請求項の記載に対応する記載は本件明細書の発明の詳細な説明の欄に無い。
　しかしながら、本件請求項１に係る発明は、再湿潤値に関しては、第二の材料の再湿潤値を第一の材料の再湿潤値と等しいかまたは、それよりも大きくすることを構成要件とするものであって、その値そのものを構成要件とするものではない。そして、第一の材料の再湿潤値の測定条件と第二の材料の再湿潤値の測定条件を同じにすれば、両者の再湿潤値の相対的な大小は決定することができ、ひいては、本件請求項１に係る発明に係る第一の材料と第二の材料を選定することもできるものと解される。また、「排出された蒸留水」の摘出及び測定は、当業者でなくても、実験的に適宜なし得るところである。
　してみれば、（ｉ）の点で、本件明細書の発明の詳細な説明の記載が、当業者が容易に本件発明を実施することができない程度のものであるとすることはできない。
　また、上記訂正により、請求項１５，２２，２５及び２８は削除されたから、上記（ｉｉ）の点は解消された。
　したがって、訂正した明細書には、特許異議申立人が主張するような記載上の不備はないから、本件特許が特許法第３６条に規定する要件を満たしていないとはいえない。
　よって、特許異議申立人の２）の主張も採用できない。
［ＩＶ］むすび
　以上のとおり、特許異議申立ての理由及び証拠によっては、本件請求項１に係る特許を取り消すことができない。
　また、請求項１に係る特許について、他に取消理由を発見しない。
　よって、結論のとおり決定する。
【異議決定日】
平成１１年６月４日（１９９９．６．４）
【訂正の要旨】
　特許請求の範囲の請求項１〜３２、３４及び３５を、特許請求の範囲の減縮を目的として削除する。
（５４）【発明の名称】
吸収性物品用身体側カバー
（５７）【特許請求の範囲】
　【請求項１】　吸収性物品用身体側カバーであって、複数の小孔が貫通して形成されている第一の材料を備え、前記第一の材料は前記吸収性物品の長手方向中心軸に沿って配置されており、かつ、該吸収性物品用身体側カバーにおける第一の液体受け入れ領域を形成しており、
小孔が形成されておらず、前記第一の材料に結合された第二の材料を備え、該第二の材料は該吸収性物品用身体側カバーにおける第二の液体受け入れ領域を形成しており、前記第二の材料の再湿潤値は前記第一の材料の再湿潤値と等しいかまたは、それよりも大きく、前記第二の材料は、カワバタ評価システムを用いて測定した場合の５個のパラメーターである曲げ、表面摩擦、表面粗さ、剪断、または、引張のうちの少なくとも一つにおいて前記第一の材料よりも低い値を有することによって、前記第一の材料よりも軟らかいものであり、前記第二の材料の吸収率は前記第一の材料の吸収率とほぼ等しいか、あるいは該第一の材料の吸収率よりも小さいことを特徴とする吸収性物品用身体側カバー。
【発明の詳細な説明】
　　　【０００１】
　　【技術分野】
　本発明は吸収性物品用身体側カバーに関する。より詳細には、本発明は、中央液体受け入れ領域において乾燥性、液体保持及び液体早期吸収の特性を有する二成分カバーに関する。この二成分カバーは着用者の皮膚に接する表面がソフトで心地良いものであるようにもする。
　　　【０００２】
　　【発明の背景】
　生理用ナプキン、月経用パッド、パンティライナー、おむつ、小児用訓練用パンツ、失禁用衣料品などの使い捨て吸収性物品は人間の体に接して着用され、排出された体液を吸収するようにつくられている。体液には、身体から排出された尿、血液、月経液及び他の排泄物なとがあり、これらは内蔵が活動している間、あるいは月経期間の間などの種々の時期に排出される。吸収性物品は、通常、多層構造からなっており、液体浸透性カバーと液体非浸透性バッフルとそれらの間に配置された吸収体とを有している。この吸収性物品はまた液体浸透性カバーと吸収体との間に位置する移動及び／又は分散層を有している。この層は体液を下方に、液体浸透性カバーから離れる方向に導き、体液をＸ方向とＹ方向に分散させる。液体浸透性カバーは体液が吸収体に急速に下降するようにつくられており、下降した体液は吸収体で保持される。液体非浸透性バッフルは吸収体内部に保持された体液が漏れ出して下着その他バッフルに接している衣類を汚したり、しみを付けたりしないようにする。
　　　【０００３】
　身体と接触する液体浸透性カバーには多くの機能が要求される。第一に、液体浸透性カバーは本吸収性物品の着用者の身体に対して乾燥した表面でなければならない。乾燥していることの尺度は再湿潤値が低いことである。すなわち、液体浸透性カバーは、通常の身体の動きによって吸収性物品が圧迫されたり、変形したりしたときに着用者の皮膚が再び濡れることを防止するものでなければならない。このことを達成するには、Ｓｕｋｉｅｎｎｉｋ他の米国特許第４，９０８，０２６号に教示されているように、流れゾーン制御層を液体浸透性カバーの直下に配置するか、あるいは、Ｔｈｏｍｐｓｏｎの米国特許第３，９２９，１３５号に教示されているように、独特な形状の小孔を液体浸透性カバーに形成する。第二に、液体浸透性カバーは吸収体を通過してきた体液を覆ってしまうものであることが必要である。これは血液や月経液が吸収体により保持されている女性用吸収性物品には特に必要である。女性のユーザーは清潔な外観の製品を好むので、血液のしみが付いていたりすると、その製品には漏れが生じていてすぐに取り替えなければならないという印象を与えてしまう。第三に、液体浸透性カバーは体液が早急に吸収体に移行するように十分な開口度（小孔の大きさの分布）を有していることが要求される。十分な開口度は、大きなデニールを有する大きな繊維を用いて重量の軽い材料を用いるか、あるいは、液体浸透性カバー自体に小孔をあけることによって得られる。十分な耐摩耗性を有するきつく結合された織布のような薄い材料を用いることもまた好ましい。第四に、液体浸透性カバーは着用者の皮膚に対してソフトで心地好いものであることが必要である。着用者の胴、股、脚、大腿部および臀部などが吸収性物品の少なくとも一部と直接に接触することがあるからである。第五に、液体浸透性カバーは製造が容易であり、さらに、比較的安価であることが要求される。
　　　【０００４】
　この液体浸透性カバーの種々の材料や構造が多くの先行特許に示されている。当初は不織材料が使用されていたが、これが小孔が形成されたフィルム層を有する一または複数の不織繊維層の使用へと発展して行った。米国特許第３，９４５，３８６号、第３，９６５，９０６号、第３，９６７，６２３号、第３，９９４，２９９号、第４，０１４，３４１号、第４，３２３，０６９号および第４，３２４，２４６号にそのような材料が開示されている。他の特許、例えば、米国特許第３，８８８，２５４号や第４，６７５，０１３号は他の繊維シートでラミネートされたカバーの使用を開示している。米国特許第４，７６２，５２０号は平行な筋目に細分化された溶融繊維を含むカード繊維織布からカバーをつくることを教示している。他の米国特許、例えば第４，７１０，１８６号、第４，７５５，４１３号、第４，７９８，６０４号、第４，８０６，４１１号はカバーに小孔を形成することを開示している。米国特許第４，３３３，４６５号は液体浸透性ゾーンを有する液体非浸透性複合材料からなるカバーを開示している。最後に、米国特許第３，６７６，２４２号、第４，６９０，６７９号、第４，７２５，４７３号および第４，８７８，９７４号は押し出し法、積層法などによってフィルムと繊維の複合カバー材料を製造する方法を各種開示している。
　　　【０００５】
　本件出願人が出願した不織ウエブに関する二つの出願がある。一つは１９９０年１１月１日出願の米国出願第０７／６０８，０９５号「水圧交絡不織パルプ繊維ウェブ」であり、他方は１９９０年１２月２１日出願の米国出願第０７／６３３，５９４号「高パルプ含有不織複合織布」である。
　　　【０００６】
　現在ではカバーの機能を向上させるために、二または三以上の異なる種類の材料をカバーに用いることが行われ始めている。特開平１−１２２，７２７号は２種の異なる疏水性材料（双方とも小孔を有している）からなるカバーを有する生理用ナプキンを教示している。米国特許第４，２８５，３４２号はややこれに類似しているが、二種の異なる材料を用いる代わりに、おむつのカバーに大きな開口を形成し、吸収体への液体の流れを良くしている。英国特許第２，１２４，９０７号は水非浸透性材料と結合した織布を教示しており、これら双方の材料はともに吸収性物品の身体側表面に位置している。
　　　【０００７】
　吸収性物品の流体を制御する機能を高めるためには、液体浸透性カバーと吸収体との間に一または二以上の層を設けることが必要である。このような層は体液を下方に、カバーから離れる方向に導くことによってカバーを乾燥状態に保つことに役立つものでなければならない。また、これらの層は体液を外側のＸ方向及びＹ方向に移動させ、これによって、体液の吸収体への早期流入を促進することができる。液体浸透性カバーの直下に流体移動層あるいは流体分散層を用いることを開示している米国特許としては、米国特許第４，３９７，６４４号、第４，４８０，０００号、第４，５１９，７９９号および第４，７９８，６０３号がある。これらの米国特許は体液を下方に、さらに、吸収体の内部に導くことを促進する移動層すなわち分散層の形成のための各種材料や複合物を教示している。
　　　【０００８】
　上記の米国特許に示されたカバー材料のほとんどは多くの消費者が満足するようには機能しない。良好な流体浸透率を有するカバー材料もあるが、それらは着用者の皮膚に対してざらざらした、感触の良くない表面を有している。スパンボンドまたはカードウェブからつくられたカバーは軟らかく、心地良いが、乾燥性能が良くない。さらに、製造が難しく、あるいは、高価なものもある。これらのことから、比較的安価で、製造しやすく、現在市販されている材料よりも高機能を有するカバーが望まれている。
　　　【０００９】
　この点に鑑みて、良好な乾燥特性、流体保持特性および流体移動特性を有しつつ、着用者の皮膚に対して軟らかく、心地好い感触を与える身体側カバーとして本発明がなされたものである。
　　　【００１０】
　　【発明の概要】
　簡単に言うと、本発明は吸収性物品用の身体側カバーに関し、この身体側カバーは二種の異なる材料を有することによりその機能を高めている。この二成分カバーは第一の材料と第二の材料とを有する。第一の材料としては押し出しコートした不織ウェブ、熱可塑性フィルムまたはネットを用いることができ、複数の小孔が形成され、吸収性物品の中央長手軸に沿って位置している。第二の材料としては不織ウェブが好ましく、小孔は形成されていない。この第二の材料は第一の材料の外周の少なくとも一部と隣接して並び、かつ、接合されている。吸収性物品に組み込まれた第一の材料は第二の材料の吸収率とほぼ同じ、あるいは、それより大きい吸収率を示す。第一の材料は体液が集中的に排出される地点の直下に配置され、本二成分カバーの第一流体受け入れ領域として機能する。第二の材料は体液が集中的に排出される地点からは離れて配置され、本二成分カバーの第二流体受け入れ領域を形成する。
　　　【００１１】
　本発明の目的は吸収性物品用の身体側カバーを提供することにある。より詳細には、本発明の目的は、より良好な乾燥特性、流体保持特性および流体移動特性を有しつつ、着用者の皮膚に対して軟らかく、心地好い吸収性物品用の身体側二成分カバーを提供することである。
　　　【００１２】
　本発明の他の目的は比較的安価な吸収性物品用身体側カバーを提供することである。
　　　【００１３】
　本発明のさらに他の目的は第一および第二の流体受け入れ領域を有する二成分カバーを提供することである。
　　　【００１４】
　本発明のさらに他の目的は、小孔が形成されたフィルムからなる二成分カバーを有する吸収性物品を提供することである。このフィルムは小孔が形成されていない不織ウェブによって少なくとも部分的に囲まれている。
　　　【００１５】
　本発明の他の目的および利点は当業者にとっては本明細書の記述および図面から明らかである。
　　　【００１６】
　　【実施例】
　図１には生理用ナプキンとして形成した吸収性物品１０が示されている。この吸収性物品１０は多層構造である。吸収性物品１０は液体浸透性二成分カバー１２と、液体非浸透性バッフル１４と、これらの間に配置された吸収体１６とを有している。二成分カバー１２は液体非浸透性バッフル１４とともに吸収体１６を完全に包み込んでいる。二成分カバー１２は着用者の身体に向かい合い、液体非浸透性バッフル１４は下着に隣接するように用いられる。本実施例では、吸収性物品１０は生理用ナプキンとして形成したが、月経用パッド、パンティライナー、おむつ、訓練用パンツ、失禁用衣類などとして形成することもできる。
　　　【００１７】
　吸収性物品１０は幅方向（Ｙ方向）よりも長さ方向（Ｘ方向）の方が長い細長い形状をなしている。長さはＸ方向に延び、幅はＹ方向に延び、厚さはＺ方向に延びている。液体非浸透性バッフル１４の外側表面２０には接着ストリップ１８が取り付けられている。必要であれば、接着ストリップ１８は１個だけでなく、２個または３個以上用いることもできる。接着ストリップ１８の上には取り外し自在な▲剥▼離ストリップ２２が配置されており、この▲剥▼離ストリップ２２は生理用ナプキン（吸収性物品１０）が下着の内側に取り付けられるときにユーザーによって取り外される。
　　　【００１８】
　吸収性物品１０には、二成分カバー１２と液体非浸透性バッフル１４とを結合させることによって、外周シール２４が形成されている。この外周シール２４によって吸収体１６が完全に封入される。
　　　【００１９】
　二成分カバー１２は二つの異なる材料２６、３０からなっている。第一の材料２６には複数の小孔２８が形成されていることが好ましい。一方、第二の材料３０には小孔を形成しない方が好ましい。第一の材料２６としては熱可塑性フィルム、押し出しコートされた不織布、またはネット材料を用いることができる。これらはその構造上の特性からストランドとスレッドとの間に開口を有している。有用な熱可塑性フィルムとしては、ポリエチレンなどのポリオレフィン材料があり、これは色々な形状につくり上げることができる。これらのフィルムおよびフィルム製造方法は次の会社が市販している。
　　　【００２０】
　Ｓｍｉｔｈ　＆　Ｎｅｐｈｅｗ　Ｐｌａｓｔｉｃ，Ｌｔｄ．（英国）　
　Ａｐｐｌｉｅｄ　Ｅｘｔｒｕｓｉｏｎ　Ｔｅｃｈｎｏｌｏｇｉｅｓ，Ｉｎｃ．
　Ｆａｍｅｃｃａｎｉｃａ　（イタリア）
　ＬＣＬ　Ｍａｎｕｆａｃｔｕｒｉｎｇ　ＰＴＥ　Ｌｔｄ．（シンガポール）
　　　【００２１】
　第一の材料２６は、ネット、エンボス加工したネット、押し出したネット、あるいは、フィラメントのストランドまたはスレッドからつくったネットを用いることもできる。ネットからなるカバーの例としては、米国特第２，２９５，４３９号、第２，５６４，６８０号、第２，９００，９８０号、および第４，７４１，９４１がある。本明細書はこれらの米国特許を引用し、本明細書の一部をなすものとする。ネットのフィラメントまはスレッド間の開口部分は熱可塑性フィルムに形成された小孔またはパーフォレーションと同様の機能を奏す。第一の材料２６の材料として複数の小孔が形成されたフォーム材料を用いることもできる。
　　　【００２２】
　第一の材料２６は約２ｍｍ以下の厚さを有している。好ましい厚さは０．０５〜２．０ｍｍである。第一の材料２６を三次元的な形状に形成し、厚さを増すとともに、その機能を向上させることもできる。このような三次元的形状を得る一つの方法は一対のローラーのニップの間においてエンボス加工を施すことである。
　　　【００２３】
　第一の材料２６に形成される小孔２８は色々な大きさ、形状、パターンをとることができる。小孔２８は対称に、あるいは均一に、あるいはランダムに配置することができる。大きさを同じにして、対称に配置するパターンが好ましい。小孔２８は第一の材料２６の全露出表面積の約２０〜７０％を占め、好ましくは約３０〜６０％、最も好ましくは約３０〜５０％を占める。「全露出表面積」とはユーザーの身体に向かい合う二成分カバー１２の面積である。小孔２８は、ニードリングやパンチングなどの機械的な孔開けや、熱真空絞り成形や、当業者によく知られている他の方法により形成することができる。小孔２８は第一の材料２６の厚さ全体にわたって形成することが必要である。小孔２８の側壁の幾何学的な形状は色々な形状にすることが可能である。例えば、小孔２８の断面は円形、三角形、正方形、または不規則形状にすることができる。小孔２８の側壁は第一の材料２６の上面に対して直角に形成してもよいし、あるいは、所望の角度で傾斜させてもよい。
　　　【００２４】
　第一の材料２６に小孔２８を形成する際には、小孔２８の頂点が第一の材料２６のベース面の下方に延びるように小孔２８を形成することもできる。このような形状とすることにより、各小孔２８の側壁は隣接する層（例えば、セルロースパルプ層や分離層など）の繊維と接触し、その繊維に入り込むことができるようになる。これによって、体液を下方の吸収体や分離層に短時間で移動させるという利点を生じる。
　　　【００２５】
　第一の材料２６は吸収性物品１０の中央長手軸Ｘ−Ｘの回りに配置されており、二成分カバー１２の第一流体受け入れ領域を形成している。吸収性物品１０は人体に接するように配置され、体液や排泄物（これらが尿道、膣口あるいは肛門のいずれから排泄されるかを問わない）が集中的に排出される地点が第一の材料２６の上面に直接に並ぶようにされる。第一の材料２６の長さや幅や形状は様々に変えることができる。生理用ナプキンの場合には、矩形、楕円形または長円形競技場形状が好ましく、長さは約２インチ（５０．８ｍｍ）よりも大きいことが必要である。好ましい長さは約３インチ（７６．２ｍｍ）以上であり、最も好ましい長さは吸収性物品１０の全長の少なくとも半分よりも長い長さである。第一の材料２６は、図１に示すように、吸収性物品１０の長さと等しい長さとすることもできる。製造を容易にするためには、第一の材料２６の長さを吸収性物品１０の全長と等しくするか、あるいは、吸収性物品１０の全長よりもわずかに短くすればよい。吸収性物品１０の長さの少なくとも５０％の長さがあればほとんどの使用態様に対して十分である。より多くの材料が使用されるおむつ、訓練用パンツ、失禁用衣類などでは、第一の材料２６の長さを約２〜１０インチ（５０〜２５４ｍｍ）とすることが好ましい。
　　　【００２６】
　第一の材料２６の幅は様々に変えることができる。生理用ナプキンでは、幅は約０．２５〜３．０インチ（６．４〜７６．２ｍｍ）あれば十分である。好ましい幅は約０．７５〜２．５インチ（１９〜６３．５ｍｍ）であり、最も好ましい幅は約１．０〜２．０インチ（２５．４〜５０．８ｍｍ）である。一般的には、女性用製品においては、吸収性物品の幅の約２５〜９５％、好ましくは約４０〜６０％の幅が好ましい。おむつ、訓練用パンツ、失禁用衣類などでは、５．０インチ（１２７ｍｍ）以下の幅があれば十分である。
　　　【００２７】
　図１においては、第一の材料２６の二成分カバー１２の全露出表面積に対する割合が第二の材料３０のそれよりも小さい。この理由は、第一の材料２６に熱可塑性フィルムを用い、第二の材料３０に不織ウェブを用いた場合、熱可塑性フィルムは不織ウェブよりもはるかに高価であるので、その使用量を少なくした方が経済的であるからである。第二の材料３０の二成分カバー１２の全露出表面積に対する割合が第一の材料２６のそれよりも大きい場合でさえも、必要であれば、第一の材料２６が二成分カバー１２に占める割合を等しくするか、あるいは、大きくすることが可能である。
　　　【００２８】
　二成分カバー１２の第二の材料３０は流体浸透性の不織ウェブであることが好ましい。この不織ウェブとしては、溶融可能なポリマー繊維またはフィラメントからなる繊維材料を用いることができる。この不織ウェブには小孔は形成されていない。ただし、必要であれば、小孔を形成してもよい。この不織ウェブは次のポリマーの何れかからつくることができる：ポリアミド、ポリエステル、ポリオレフィン、ポリビニルアセテート、ポリビニルクロライド、ポリビニルアルコール・セルロースアセテート、ビスコースなど。適当な材料としてはポリプロピレンスパンボンドや結合カードウェブがある。適当な不織ウェブ材料としては約１．５またはそれ以上のデニールを有する均一ウェブもある。通常は線状絞りスパンボンド（ＬＤＰ）と呼ばれているこの材料は米国特許第４，３４０，５６３号に記載されており、本明細書はこの米国特許を引用し、本明細書の一部をなすものとする。
　　　【００２９】
　図１に示されているように、第二の材料３０は第一の材料２６の長手方向側縁部の一部と重なっており、線３２、３４に沿って結合されている。第二の材料３０は機械的な接着、接着剤、超音波結合、熱結合、圧力結合、あるいは熱結合と圧力結合の組み合わせなどによって第一の材料２６に結合させることができる。二つの材料を結合させる他の手段を用いることも可能である。なお、第一の材料２６は小孔２８を設ける前に第二の材料３０の結合させることもできるし、小孔２８を設けた後で結合させることもできる。二成分カバー１２はオフラインで製造した後に吸収性物品１０として組み立てることもできるし、オンラインで製造することもできる。
　　　【００３０】
　第二の材料３０は第一の材料２６に結合されており、二成分カバー１２の第二の流体受け入れ領域を形成している。第二の材料３０は吸収性物品１０が受け入れるべき体液が集中的に排出される地点からは離れている。なお、第二の材料３０は二成分カバー１２の第二の流体受け入れ領域を形成しているが、第二の材料３０は流体をその内部を下方に通過させ、吸収体１６に導く能力を依然として有している。第二の材料３０の吸収率（吸収率とは所定量の流体を吸収するのに要した時間である）は第一の材料２６の吸収率とほぼ等しいか、あるいは、第一の材料２６の吸収率よりも小さい。このため、通常の条件下では、ほとんどの体液は第一の材料２６を通って吸収体１６に向かうように導かれる。
　　　【００３１】
　再湿潤値はその材料の表面の乾燥の度合いを表す。この値が小さいほどその材料の表面が乾いていることを示す。二成分カバー１２の再湿潤値は表１、表２、表３に示す通りである。実際の再湿潤試験は、吸収性物品に８立方センチメートル（８ｃｃ）の蒸留水を注ぎ、１ｐｓｉの圧力を吸収性物品に作用させた後に吸収性物品から排出された蒸留水の量（グラム）を測定することにより行う。
　　　【００３２】
　　　【００３３】
　　　【００３４】
　　　【００３５】
　これらの表の再湿潤値のデータによれば、第一の材料の再湿潤値は０．０４〜２．１１グラムの範囲であり、第二の材料の再湿潤値は０．４〜１．９２グラムの範囲である。分離層がない場合には、第一の材料は小孔が形成されている熱可塑性フィルムか、あるいは、押し出しコート不織材料の何れかとすることが好ましい。これらは双方とも低い再湿潤値を示しているからである。分離層を設けることにより第一の材料として選べる材料の範囲が広がる。これは、第一の材料を分離層と組み合わせたときに生じる再湿潤値を低下させる共同作用効果によるものである。
　　　【００３６】
　二成分カバー１２は、再湿潤値が約２．５グラム以下、好ましくは約１．５グラム以下である第一の材料を有していることが必要である。第二の材料は約３．０グラム以下の再湿潤値を有していることが必要である。さらに、第一の材料２６の再湿潤値は第二の材料３０の再湿潤値と等しいか、あるいは第二の材料３０の再湿潤値よりも小さいことが必要である。なお、二成分カバー１２は前述の表に掲げた材料に限定されるものではなく、他の材料を用いることも可能である。前述の表に掲げた材料は単に潜在的な数値範囲を示すために選択されたにすぎないものである。
　　　【００３７】
　吸収率は、カバー材料に排出された８立方センチメートル（ｃｃ）の液体を吸収するのに要する時間として表される。したがって、この時間が短いほど、そのカバー材料は液体を早く通過させるものであることを示す。二成分カバー１２について吸収率を試験した結果を表４に示す。表４に示した各種材料を試験するために用いた液体はＺデート（Ｚ−ｄａｔｅ）である。Ｚデートはキンバリー・クラーク社が販売している合成月経液である。
　　　【００３８】
　　　【００３９】
　表４には第一の材料と第二の材料の双方の吸収率の範囲を示してある。第一の材料に対する吸収率は５．６〜１３．３秒の範囲であり、第二の材料に対する吸収率の範囲は１２．０４〜１５．５秒の範囲である。第一の材料は第二の材料よりも早い吸収率を有している、すなわち、測定された吸収率の値が小さいことが好ましい。
　　　【００４０】
　二成分カバー１２における第一の材料２６の吸収率は約２０秒またはそれ以下であり、第二の材料３０の吸収率は約２５秒またはそれ以下であることが必要である。
　　　【００４１】
　表５には、二成分カバー１２の第一の材料２６と第二の材料３０との間で行った軟らかさの比較の結果を示す。この軟らかさの試験では、第一の材料２６としては小孔が形成された熱可塑性フィルムを用い、第二の材料３０としてはコポリマースパンボンドを用いた。４個の装置を備えたＫａｗａｂａｔａ試験装置を用いた。４個の装置とは、ＫＥＳ−ＦＢｌ引張及び剪断試験機、ＫＥＳ−ＦＢ２曲げ試験機、ＫＥＳ−ＦＢ３圧縮試験機、ＫＥＳ−ＦＢ４摩擦及び粗度試験機である。これらの装置はＫａｔｏ　Ｔｅｃｈ　Ｃｏ．，Ｌｔｄ．（日本国京都府）が市販しているものである。軟らかさに関する６個のパラメーターを測定した。６個のパラメーターとは、曲げ、表面の摩擦、表面の粗さ、剪断、圧縮および引張強度である。
　　　【００４２】
（注１）パラメーター及び試験における測定は全て縦方向（機械方向：ＭＤ）である。
（注２）第一の材料は３５〔グラム／平方メートル〕の３次元形状のエンボス加工した小孔付きフィルムである。０．６５ｍｍバルク。
（注３）第二の材料は０．６〔オンス／平方ヤード〕のコポリマースパンボンドである。
　　　【００４３】
　表５に示すデータは第一の材料と第二の材料との間の軟らかさの顕著な相違を示している。第二の材料に対する「圧縮時の厚さのロス」の試験以外の全ての試験において、第二の材料が第一の材料よりも低い値を示しており、第二の材料の方が第一の材料よりも軟らかいことを示している。例えば、「曲げ剛性」の試験では、第二の材料に対する０．００２の値は第一の材料の０．０２８の値よりもかなり小さい。これは第二の材料（不織）が第一の材料（熱可塑性フィルム）よりも剛性が低いことを示している。「圧縮時の厚さのロス」の試験では、第二の材料の方が値が大きいが、これは第二の材料の方が第一の材料より圧縮しゃすく、したがって、第一の材料よりも軟らかいことを示している。表５に示すように、第二の材料の４５．７７の値は第一の材料の１３．７７よりも大きく、したがって、第二の材料の方が第一の材料よりも圧縮しやすい。
　　　【００４４】
　二成分カバー１２は、Ｋａｗａｂａｔａ評価システムを用いる６個のパラメーターのうち、少なくとも１個、好ましくは少なくとも３個、より好ましくは少なくとも５個、最も好ましくは６個全部のパラメーターにおいて第一の材料２６よりも軟らかい第二の材料３０を有していることが好ましい。
　　　【００４５】
　図２及び図３には第一の材料を第二の材料に取り付ける実施例が示されている。二成分カバー３６は複数の小孔４０が形成されている細長い形状の第一の材料３８を有している。小孔４０は全て同じ大きさであり、対称に配置されている。第一の材料３８の側方には第二の材料４２（好ましくは、不織）が配置され、第一の材料３８は第二の材料４２と結合して均一な厚さを有する単一の層を形成してい。二成分カバー３６の上面４４は比較的滑らかであり、くぼみやぎざぎざはない。
　　　【００４６】
　図４及び図５には複数の小孔５０が形成されている第一の材料４８を有する二成分カバー４６が示されている。小孔５０は同じ大きさであり、ランダムに配置されている。第一の材料４８は第二の材料５４（好ましくは、不織ウェブ）の上面５２に取り付けられている。この実施例においては、二成分カバー４６は図３に示した単一層からなる二成分カバー３６よりも厚さが大きい。
　　　【００４７】
　図６及び図７においては、複数の小孔６０が形成されている第一の材料５８を有する二成分カバー５６が示されている。小孔６０はランダムに配置されている。第一の材料５８は第二の材料６４（好ましくは、不織）の下面６２に取り付けられている。この実施例では、第一の材料５８の長さは二成分カバー５６の全長よりも短い。さらに、第一の材料５８は長円形競技場の形状をなしており、二成分カバー５６の窓を形成している。
　　　【００４８】
　図８及び図９には、複数の小孔７０が形成されている第一の材料６８を有する二成分カバー６６が示されている。第一の材料６８は第二の材料７４（好ましくは、不織）の下面７２に取り付けられている。第二の材料７４には切れ目が入っており、第一の材料６８の上方に垂直に位置する一対の平行なフラップ７６，７８が形成されている。フラップ７６，７８は二成分カバー６６がユーザーの会陰に接触する前に折り曲げられるようになっている。これによって、排出される体液が直接に第一の材料６８に当たる。本実施例では、第一の材料６８は矩形状であり、二成分カバー６６の全長よりも短い長さを有している。
　　　【００４９】
　図１０に示す吸収性物品８０は液体浸透性身体側カバー８２と液体非浸透性バッフル８４と吸収体８６とを備えている。液体非浸透性バッフル８４は、ポリエチレンやポリプロピレンなどのポリマーフィルムに微小なエンボス加工を施したもの、あるいは、二成分フィルムからつくることができる。好適な材料はポリエチレンである。吸収体８６は天然又は合成繊維からつくることができる。例えば、セルロース繊維、界面活性剤で処理したメルトブロウン繊維、木パルプ繊維、再生セルロースもしくは綿繊維、または、共合体（パルプと合成メルトブロウン繊維を組み合わせたもの）である。好適な材料は吸収性物品の種類に応じて木パルプフラッフ又は共合体である。通常、「超吸収体」と呼ばれているハイドロコロイド材料をそれらの吸収性繊維に付加して体液の吸収性能及び保持性能を上げることも可能である。同様に、超吸収体材料を含む積層構造体を吸収体として用いることもできる。
　　　【００５０】
　二成分カバー８２は二つの異なる材料を組み合わせることにより形成されている。第一の材料８８（例えば、ネット材料、熱可塑性フィルム、あるいは、押し出しコート不織）には複数の小孔９０が形成されており、吸収性物品８０の長手方向中央軸に沿って配置されている。第一の材料８８はその側縁９４，９６において第二の材料９２（好ましくは、不織）に結合されている。本実施例においては、二成分カバー８２は吸収体８６の周囲を完全に覆うように巻かれており、さらに、接着剤９８によって吸収性物品８０の衣類に面した側に取り付けられている。液体非浸透性バッフル８４は二成分カバー８２の外側に配置されており、接着剤１００により二成分カバー８２に取り付けられている。衣類接着ストリップ１０２は液体非浸透性バッフル８４の外側表面に取り付けられており、取り外し可能な▲剥▼離ストリップ１０４により保護されている。
　　　【００５１】
　図１１及び図１２には別の実施例が示されている。この実施例では第一の材料が第二の材料に結合されており、図１１及び図１２は第一の材料の形状も示している。図示されているように、二成分カバー１０６は、複数の小孔１０８が形成されている楕円形状の第一の材料１０６を有する。第一の材料１０６の実際の形状はユーザーの必要に応じて変えることが可能である。矩形、正方形、円形、あるいは、不規則な形状の何れをも用いることができる。第二の材料１１２（好ましくは、不織ウェブ）には細長い開口１１４が形成されており、第一の材料１０６の上に配置されている。第一の材料１０６の外周はシール線１１６において第二の材料１１２に結合されている。このような構成の下、二成分カバー１０６は単一層として形成され、段付き形状部１１７とわずかな重複部１１８とを有している。楕円形状の第一の材料１０６は体液が排出される人間の口腔の直下に配置されるようになっている。
　　　【００５２】
　図１３及び図１４にはさらに別の実施例が示されている。この実施例では二成分カバー１２０は複数の小孔１２４が形成されている楕円形状の第一の材料１２２を備えている。細長い開口１２８が形成されている第二の材料１２６（好ましくは、不織ウェブ）は第一の材料１２２の直下に配置されている。第一の材料１２２の外周は周縁１３０において第二の材料１２６に結合されている。このような構成の下、二成分カバー１２０は単一層として形成され、わずかな重複部１３４を有する段付き形状部１３２を形成している。なお、第一の材料１２２の全外周が第二の材料１２６に結合されていることが必要である。ただし、第一の材料１２２の厚さは極めて薄いので、できあがった二成分カバー１２０はほとんど平坦な面になる。
　　　【００５３】
　図１５には多層構造の吸収性物品１３６の他の実施例が示されている。吸収性物品１３６は液体浸透性二成分カバー１３８と、液体非浸透性バッフル１４０と、それらの間に配置されている吸収体１４２とを備えている。二成分カバー１３８は複数の小孔１４６が形成されている第一の材料１４４（例えば、熱可塑性フィルムや押し出しコート不織などの材料）からなっている。第一の材料１４４は第二の材料１４８（好ましくは、不織）と一体的に結合されて、平坦な上面を形成している。第一の材料１４４と第二の材料１４８は均一で等しい厚さのものとして図示されているが、必要であれば、一方を他方よりも薄くすることも可能である。二成分カバー１３８と吸収体１４２の間には分離層１５０が配置されている。分離層１５０は二成分カバー１３８と共働してユーザーの皮膚に対して乾燥した表面を提供するものとしての機能を有する。
　　　【００５４】
　分離層１５０はスパンボンド、メルトブロウン、共合体、ティシュー、水圧交絡フラッフのような材料からつくることもできるし、あるいは、結合カードウェブからつくることもできる。分離層１５０は二成分カバー１３８に排出された体液を下方に、すなわち、Ｚ軸方向に移動させ、吸収体１４２に導く機能を有するとともに、体液をＸ軸及びＹ軸方向に分散させることもできる。液体をある領域に分散させることができる機能は、血液、月経液などの体液の吸収により付いてしまうしみを防止するのに効果的である。側縁部にしみが付かないようにすることによって、特に生理用ナプキンにおいて、横漏れが生じていないという安心感をユーザーに与えることができる。分離層１５０は第一の材料１４４と同じ大きさ及び／又は形状とすることができるが、第一の材料１４４よりもわずかに大きくすることが好ましい。分離層１５０は接着剤、超音波、あるいは、熱及び／又は圧力を用いて二成分カバー１３８に直接に結合させることができる。ただし、結合させること自体は分離層１５０の機能上は必要ではない。なお、二成分カバー１３８を分離層１５０に直接に結合させる場合には、第一の材料を第二の材料に結合させることは必要ではなくなる。
　　　【００５５】
　図１６及び図１７にはさらに別の実施例に係る二成分カバーが示されている。本実施例における二成分カバー１５２は第一の材料１５４と第二の材料１５８とを備えている。第一の材料１５４はネット材料、熱可塑性フィルムまたは押し出しコート不織から選ぶことができ、第一の材料１５４には複数の小孔１５６が貫通して形成されている。第二の材料１５８（例えば、不織）にも同様の大きさの小孔１６０が第二の材料１５８の中央領域１６２に形成されている。第一の材料１５４はその外周縁の回りにおいて中央領域１６２の直下に位置するように第二の材料１５８の下面に結合され、シール線１６４を形成している。製造を容易にするため、第一の材料１５４は二成分カバー１５２の全長と等しい長さを有するが、楕円形状の中央領域１６２は二成分カバー１５２の全長の約７５％の長さしか有していない。さらに、中央領域１６２は二成分カバー１５２のどの端部からも離れている。
　　　【００５６】
　図１８及び図１９には別の実施例である二成分カバー１６６が示されている。二成分カバー１６６は第一の材料１６８と第二の材料１７２とを備えている。第一の材料１６８は複数の小孔１７０が貫通して形成されている矩形形状をなしている。第二の材料１７２（例えば、不織ウェブ）には小孔１７０とは異なる大きさの複数の小孔１７４が形成されており、これらの小孔１７４は中央領域１７６の内部に位置している。第一の材料１６８はその外周縁１７８において第二の材料１７２の下面に結合されており、中央領域１７６の直下に位置している。
　　　【００５７】
　図２０乃至図２２には、異なるパターンで配置した小孔を有する三つの第一の材料のストリップが示されている。図２０には、同じ大きさを有し、ランダムに配置された複数の小孔１８２を有するストリップが示されている。図２１には、同じ大きさを有し、系統的な、または、均一なパターンで配置された複数の小孔１８６を有するストリップ１８４が示されている。図２２には、異なる大きさをの複数の小孔１９０を有するストリップ１８８が示されている。これらの小孔１９０は第一の材料のストリップ１８８の全露出表面積に対して大きな割合で開口部分を形成している。
　　　【００５８】
　以上、実施例を参照して本発明を説明してきたが、当業界において通常の知識を有する者であれば以上の説明に照らして多くの改変、修正、応用が可能である。従って、本発明は本発明の範囲を逸脱しない範囲においてそれらの改変、修正、応用などを含むものである。
【図面の簡単な説明】
　　【図１】
　生理用ナプキンとして形成した吸収性物品の斜視図である。一部断面図を含む。この吸収性物品は小孔が形成された第一の材料からなる二成分カバーを有しており、この第一の材料は第二の材料によって部分的に覆われている。
　　【図２】
　二成分カバーの他の実施態様の平面図であり、この二成分カバーは、小孔が形成された第一の材料とその側方に位置する第二の材料とが単一の層を形成してなっている。
　　【図３】
　図２に示した二成分カバーの端面図であり、この二成分カバーが単一の層であることを明示している。
　　【図４】
　二成分カバーの他の実施態様の平面図であり、小孔が形成された第一の材料は第二の材料の１上面に取り付けられている。
　　【図５】
　図４に示した二成分カバーの端面図であり、第二の材料の上方に取り付けられた第一の材料の位置関係を示している。
　　【図６】
　二成分カバーのさらに他の実施態様の平面図であり、第二の材料の下方に位置している、小孔が形成された長円形形状の第一の材料を示している。
　　【図７】
　図６に示した二成分カバーの端面図であり、第二の材料の下方に第一の材料が位置していることを示している。
　　【図８】
　二成分カバーの他の実施態様の平面図であり、一対のフラップが内部に形成されている第二の材料の下方に位置している、小孔が形成されている第一の材料を示している。
　　【図９】
　図８に示した二成分カバーの端面図であり、第二の材料の下方に第一の材料が位置していることを示している。
　　【図１０】
　吸収性物品の断面図である。この吸収性物品は、二成分カバーと、二成分カバーに封入された吸収体と、二成分カバーの外側に位置し、吸収体の衣服側の表面に隣接している液体非浸透性バッフルとを有している。
　　【図１１】
　他の実施態様に係る二成分カバーの平面図であって、第二の材料に結合され、かつ第二の材料に囲まれている、小孔が形成された楕円形形状の第一の材料を示している。
　　【図１２】
　図１１の１２−１２線で切断した二成分カバーの断面図であり、小孔が形成されている第一の材料が第二の材料の下面の一部に取り付けられていることを示している。
　　【図１３】
　他の実施態様に係る二成分カバーの平面図であって、第二の材料に結合され、かつ第二の材料に囲まれている、小孔が形成された楕円形形状の第一の材料を示している。
　　【図１４】
　図１３の１４−１４線で切断した二成分カバーの断面図であり、小孔が形成されている第一の材料が第二の材料の上面の一部に取り付けられていることを示している。
　　【図１５】
　他の実施態様の吸収性物品の断面図であり、この吸収性物品は二成分カバーと、分離層および吸収体とを囲い込んでいる液体非浸透性バッフルとを有している。
　　【図１６】
　他の実施態様に係る二成分カバーの平面図であって、小孔が形成された第二の材料の下方に位置する、小孔が形成された第一の材料を示している。
　　【図１７】
　図１６の１７−１７線で切断した二成分カバーの断面図であり、小孔が形成されている第一の材料が同じく小孔が形成されている第二の材料の下面の一部に取り付けられていることを示している。
　　【図１８】
　他の実施態様に係る二成分カバーの平面図であり、小孔が形成されている第一の材料が同じく小孔が形成されている第二の材料の下方に配置され、第一の材料には異なる大きさの小孔が形成されていることを示している。
　　【図１９】
　図１８の１９−１９線で切断した二成分カバーの断面図であり、小孔が形成されている第一の材料が同じく小孔が形成されている第二の材料の下面の一部に取り付けられていることを示している。
　　【図２０】
　小孔が形成された第一の材料の平面図である。同じ大きさの小孔がランダムに配置されており、全ての小孔を合わると第一の材料の表面積の少なくとも１０％を占める。
　　【図２１】
　小孔が形成された第一の材料の平面図である。同じ大きさの小孔が対称に配置されており、全ての小孔を合わせると第一の材料の表面積の少なくとも５０％を占める。
　　【図２２】
　小孔が形成された第一の材料の平面図である。色々な大きさの小孔がランダムに配置されており、全ての小孔を合わせると第一の材料の表面積の少なくとも７０％を占める。
　　　【符号の説明】
　　１０　吸収性物品
　　１２　液体浸透性二成分カバー
　　１４　液体非浸透性バッフル
　　１６　吸収体
　　１８　接着ストリップ
　　２０　外側表面
　　２２　▲剥▼離ストリップ
　　２４　外周シール
　　２６　第一の材料
　　２８　小孔
　　３０　第二の材料
　　３６　二成分カバー
　　３８　第一の材料
　　４０　小孔
　　４２　第二の材料
　　４４　上面
　　４６　二成分カバー
　　４８　第一の材料
　　５０　小孔
　　５２　上面
　　５４　第二の材料
　　５６　二成分カバー
　　５８　第一の材料
　　６０　小孔
　　６４　第二の材料
　　６６　二成分カバー
　　６８　第一の材料
　　７０　小孔
　　７４　第二の材料
　　７６　フラップ
　　７８　フラップ
　　８０　吸収性物品
　　８２　液体浸透性身体側カバー
　　８４　液体非浸透性バッフル
　　８６　吸収体
　　８８　第一の材料
　　９０　小孔
　　９２　第二の材料
　　９４　側縁
　　９６　側縁
　　９８　接着剤
　　１００　接着剤
　　１０２　衣類接着ストリップ
　　１０４　▲剥▼離ストリップ
　　１０６　二成分カバー
　　１０８　小孔
　　１１２　第二の材料
　　１１７　段付き形状部
　　１１８　重複部
　　１２０　二成分カバー
　　１２２　第一の材料
　　１２６　第二の材料
　　１２８　開口
　　１３０　周縁
　　１３２　段付き形状部
　　１３４　重複部
　　１３６　吸収性物品
　　１３８　液体浸透性二成分カバー
　　１４０　液体非浸透性バッフル
　　１４２　吸収体
　　１４４　第一の材料
　　１４６　小孔
　　１４８　第二の材料
　　１５０　分離層
　　１５２　二成分カバー
　　１５４　第一の材料
　　１５８　第二の材料
　　１６０　小孔
　　１６２　中央領域
　　１６６　二成分カバー
　　１６８　第一の材料
　　１７２　第二の材料
　　１７４　小孔
　　１７６　中央領域
　　１７８　外周縁
　　１８０　ストリップ
　　１８２　小孔